(57)【特許請求の範囲】
【請求項１】
複数の点灯回路と、複数の前記点灯回路を制御する制御部とを備え、
複数の前記点灯回路は、発光色の異なる複数の固体光源にそれぞれ駆動電流を供給して点灯するように構成され、
前記制御部は、複数の前記点灯回路が複数の前記固体光源に供給する前記駆動電流をそれぞれ増減させることで複数の前記固体光源の光量を調整するように構成され、
さらに、前記制御部は、コントローラから受け取る制御信号に基づいて通常モードと補正モードの２つの制御モードを択一的に切り替えて複数の前記点灯回路を制御するように構成され、
前記通常モードにおける前記制御部は、前記駆動電流を外部から指示される値に一致させるように前記点灯回路を制御し、
前記補正モードにおける前記制御部は、前記駆動電流の定格値と補正係数との積を演算することで前記外部から指示される値を補正し、補正後の値に前記駆動電流を一致させるように前記点灯回路を制御し、
前記補正係数は、複数の前記固体光源のそれぞれの発光色の色度ばらつきの範囲から各発光色の色度点を補正する際の補正係数であることを特徴とする固体光源点灯装置。
【請求項２】
前記制御部は、複数の前記点灯回路を一括して、前記通常モードと前記補正モードの２つの制御モードに切り替えて制御するように構成されることを特徴とする請求項１記載の固体光源点灯装置。
【請求項３】
前記制御部は、複数の前記点灯回路毎に、前記通常モードと前記補正モードの２つの制御モードを各別に切り替えて制御するように構成されることを特徴とする請求項１記載の固体光源点灯装置。
【請求項４】
前記複数の固体光源は、赤色光を発光する固体光源、緑色光を発光する固体光源、及び青色光を発光する固体光源であることを特徴とする請求項１〜３のいずれか１項に記載の固体光源点灯装置。
【請求項５】
請求項１〜４のいずれかの固体光源点灯装置と、発光色の異なる複数の固体光源と、前記固体光源点灯装置及び複数の前記固体光源を支持する筐体とを有することを特徴とする照明器具。
【請求項６】
請求項５の照明器具と、１又は複数の前記照明器具に対して、前記駆動電流の値を指示する前記コントローラとを有することを特徴とする照明システム。
【発明の詳細な説明】
【技術分野】
【０００１】
本発明は、固体光源点灯装置、照明器具並びに照明システムに関し、より詳細には、発光ダイオードのような固体光源を点灯させる固体光源点灯装置、当該固体光源点灯装置と固体光源を有する照明器具、並びに当該照明器具を含む照明システムに関する。
【背景技術】
【０００２】
従来例として、特許文献１記載の色味補正装置を例示する。なお、特許文献１記載の色味補正装置は、携帯電話の液晶ディスプレイに用いられる照明装置（ＬＣＤバックライト）の発光色を補正するように構成される。ＬＣＤバックライトは、Ｒ、Ｇ、Ｂの３原色の発光色を任意に調整することが可能なＲＧＢＬＥＤを光源とする。色味補正装置（携帯電話の制御部）は、各設定色（設定に対応して発色させる色）に対して赤、緑、青の各ＬＥＤにそれぞれに何％の割合で電流を流すかの情報を、例えば、１０通りのテーブル値としてＲＯＭに予め記憶している。これらのテーブル値は、ＲＧＢＬＥＤにより、赤色、緑色、青色、水色、黄色、紫色、白色の７色を発色させる場合に、赤、緑、青の各ＬＥＤに流すことができる電流量のうち実際に流す割合を示す値である。
【０００３】
色味補正装置は、電話番号入力等を行うキーパッドから、いずれかのテーブル値を選択する入力を受け付けると、受け付けたテーブル値をＲＯＭから読み出し、読み出したテーブル値によって色味を補正する。その結果、色味補正装置は、ＲＧＢＬＥＤの特性ばらつきに起因した光色のばらつきを補正することができる。
【先行技術文献】
【特許文献】
【０００４】
【特許文献１】特開２００２−１００４８５号公報
【発明の概要】
【発明が解決しようとする課題】
【０００５】
ところで、発光色の色味を補正する場合、補正の有無によって発色可能な範囲が異なる可能性がある。
【０００６】
本発明は、上記課題に鑑みてなされており、発光色のばらつきの抑制を図りつつ調色可能な範囲が狭くなることを抑えることを目的とする。
【課題を解決するための手段】
【０００７】
本発明の固体光源点灯装置は、複数の点灯回路と、複数の前記点灯回路を制御する制御部とを備え、複数の前記点灯回路は、発光色の異なる複数の固体光源にそれぞれ駆動電流を供給して点灯するように構成され、前記制御部は、複数の前記点灯回路が複数の前記固体光源に供給する前記駆動電流をそれぞれ増減させることで複数の前記固体光源の光量を調整するように構成され、さらに、前記制御部は、コントローラから受け取る制御信号に基づいて通常モードと補正モードの２つの制御モードを択一的に切り替えて複数の前記点灯回路を制御するように構成され、前記通常モードにおける前記制御部は、前記駆動電流を外部から指示される値に一致させるように前記点灯回路を制御し、前記補正モードにおける前記制御部は、前記駆動電流の定格値と補正係数との積を演算することで前記外部から指示される値を補正し、補正後の値に前記駆動電流を一致させるように前記点灯回路を制御し、前記補正係数は、複数の前記固体光源のそれぞれの発光色の色度ばらつきの範囲から各発光色の色度点を補正する際の補正係数であることを特徴とする。
【０００８】
本発明の照明器具は、固体光源点灯装置と、発光色の異なる複数の固体光源と、前記固体光源点灯装置及び複数の前記固体光源を支持する筐体とを有することを特徴とする。
【０００９】
本発明の照明システムは、照明器具と、１又は複数の前記照明器具に対して、前記駆動電流の値を指示するコントローラとを有することを特徴とする。
【発明の効果】
【００１０】
本発明の固体光源点灯装置、照明器具及び照明システムは、発光色のばらつきの抑制を図りつつ調色可能な範囲が狭くなることを抑えることができるという効果がある。
【図面の簡単な説明】
【００１１】
【図１】本実施形態に係る固体光源点灯装置の回路構成図である。
【図２】本実施形態に係る照明器具の斜視図である。
【図３】本実施形態に係る照明器具におけるＬＥＤモジュールの正面図である。
【図４】本実施形態に係る照明器具の平面図である。
【図５】本実施形態に係る照明器具の正面図である。
【図６】本実施形態に係る照明器具の左側面図である。
【図７】本実施形態に係る照明器具の配光特性を説明するための説明図である。
【図８】本実施形態に係る固体光源点灯装置及び照明器具における色補正処理を説明するための色度図である。
【図９】本実施形態に係る照明システムのシステム構成図である。
【発明を実施するための形態】
【００１２】
本実施形態に係る固体光源点灯装置について、図面を参照して詳細に説明する。なお、以下の実施形態で説明する構成は本発明の一例にすぎない。本発明は、以下の実施形態に限定されず、本発明に係る技術的思想を逸脱しない範囲であれば、設計等に応じて種々の変更が可能である。
【００１３】
本実施形態に係る固体光源点灯装置Ａは、図１に示すように、第１点灯回路２Ｒ、第２点灯回路２Ｇ、第３点灯回路２Ｂ、制御部３、電源部４などを備える。第１点灯回路２Ｒは、第１光源１Ｒに駆動電流（第１駆動電流）を流すように構成される。第２点灯回路２Ｇは、第２光源１Ｇに駆動電流（第２駆動電流）を流すように構成される。第３点灯回路２Ｂは、第３光源１Ｂに駆動電流（第３駆動電流）を流すように構成される。
【００１４】
第１光源１Ｒは、複数個（図１における図示は２個のみ）の第１固体発光素子１０Ｒの直列回路で構成される。第１固体発光素子１０Ｒは、赤色光（例えば、６１５〜６３５［ｎｍ］の可視光）を放射する赤色発光ダイオードである。第２光源１Ｇは、複数個（図１における図示は２個のみ）の第２固体発光素子１０Ｇの直列回路で構成される。第２固体発光素子１０Ｇは、緑色光（例えば、５２０〜５３５［ｎｍ］の可視光）を放射する緑色発光ダイオードである。第３光源１Ｂは、複数個（図１における図示は２個のみ）の第３固体発光素子１０Ｂの直列回路で構成される。第３固体発光素子１０Ｂは、青色光（例えば、４６４〜４７５［ｎｍ］の可視光）を放射する青色発光ダイオードである。ただし、第１〜第３固体発光素子１０Ｒ、１０Ｇ、１０Ｂは、発光ダイオード以外の固体発光素子、例えば、有機エレクトロルミネセンス素子であっても構わない。また、各固体発光素子１０Ｒ、１０Ｇ、１０Ｂの光色（波長）は一例であって、本実施形態における光色（波長）に限定されず、赤色、緑色、青色の３色以外の光色であってもよい。なお、以下の説明においては、第１光源１Ｒの赤色光、第２光源１Ｇの緑色光、第３光源１Ｂの青色光が合成（混色）された光を照明光と呼ぶ。
【００１５】
電源部４は、商用の交流電源４３から供給される交流電力を直流電力に変換するように構成される。例えば、電源部４は、入力フィルタ４０、整流回路４１並びに力率改善回路４２で構成されることが好ましい。入力フィルタ４０は、高域遮断フィルタからなり、例えば、交流電源４３の電源電圧の周波数（６０［Ｈｚ］及び５０［Ｈｚ］）を通過させて高調波成分を遮断するように構成される。整流回路４１は、例えば、ダイオードブリッジで構成されることが好ましい。力率改善回路４２は、昇圧チョッパ回路で構成されることが好ましい。力率改善回路４２は、電界効果トランジスタからなるスイッチング素子Ｑ２、チョークコイルＬ２、検出抵抗Ｒ２、ダイオードＤ２、平滑コンデンサＣ２、スイッチング素子Ｑ２をスイッチングするドライバ回路４２０などを有する。ドライバ回路４２０は、検出抵抗Ｒ２の両端電圧を検出し、スイッチング素子Ｑ２のオンデューティを制御して平滑コンデンサＣ２の両端電圧（出力電圧）を一定にするように構成される。
【００１６】
第１点灯回路２Ｒは、降圧チョッパ回路で構成されることが好ましい。第１点灯回路２Ｒは、第１スイッチング素子Ｑ１１、第１インダクタＬ１１、第１ダイオードＤ１１、第１コンデンサＣ１１、第１抵抗Ｒ１１、第１駆動回路２０Ｒなどを有する。第１スイッチング素子Ｑ１１は、例えば、ｎチャネルのエンハンスメント形ＭＯＳＦＥＴ（電界効果トランジスタ）で構成されることが好ましい。第１スイッチング素子Ｑ１１と第１ダイオードＤ１１と第１抵抗Ｒ１１の直列回路が電源部４の出力端子間（平滑コンデンサＣ２の両端間）に電気的に接続される。また、第１ダイオードＤ１１のアノード・カソード間に、第１インダクタＬ１１と第１コンデンサＣ１１の直列回路が電気的に接続される。そして、第１コンデンサＣ１１の両端間に第１光源１Ｒが電気的に接続される。第１駆動回路２０Ｒは、第１スイッチング素子Ｑ１１のオンデューティを制御することにより、第１抵抗Ｒ１１に流れる第１駆動電流（第１光源１Ｒの駆動電流）を目標値ＩＲＴに一致させるように構成される。あるいは、第１駆動回路２０Ｒは、第１スイッチング素子Ｑ１１をスイッチングする期間（導通期間）とスイッチングしない期間（休止期間）とを交互に切り替え、かつ、導通期間と休止期間の割合を調整してもよい。
【００１７】
第２点灯回路２Ｇは、降圧チョッパ回路で構成されることが好ましい。第２点灯回路２Ｇは、第２スイッチング素子Ｑ１２、第２インダクタＬ１２、第２ダイオードＤ１２、第２コンデンサＣ１２、第２抵抗Ｒ１２、第２駆動回路２０Ｇなどを有する。第２スイッチング素子Ｑ１２は、例えば、ｎチャネルのエンハンスメント形ＭＯＳＦＥＴで構成されることが好ましい。第２スイッチング素子Ｑ１２と第２ダイオードＤ１２と第２抵抗Ｒ１２の直列回路が電源部４の出力端子間に電気的に接続される。また、第２ダイオードＤ１２のアノード・カソード間に、第２インダクタＬ１２と第２コンデンサＣ１２の直列回路が電気的に接続される。そして、第２コンデンサＣ１２の両端間に第２光源１Ｇが電気的に接続される。第２駆動回路２０Ｇは、第２スイッチング素子Ｑ１２のオンデューティを制御することにより、第２抵抗Ｒ１２に流れる第２駆動電流（第２光源１Ｇの駆動電流）を目標値ＩＧＴに一致させるように構成される。あるいは、第２駆動回路２０Ｇは、第２スイッチング素子Ｑ１２をスイッチングする導通期間とスイッチングしない休止期間とを交互に切り替え、かつ、導通期間と休止期間の割合を調整してもよい。
【００１８】
第３点灯回路２Ｂは、降圧チョッパ回路で構成されることが好ましい。第３点灯回路２Ｂは、第３スイッチング素子Ｑ１３、第３インダクタＬ１３、第３ダイオードＤ１３、第３コンデンサＣ１３、第３抵抗Ｒ１３、第３駆動回路２０Ｂなどを有する。第３スイッチング素子Ｑ１３は、例えば、ｎチャネルのエンハンスメント形ＭＯＳＦＥＴで構成されることが好ましい。第３スイッチング素子Ｑ１３と第３ダイオードＤ１３と第３抵抗Ｒ１３の直列回路が電源部４の出力端子間に電気的に接続される。また、第３ダイオードＤ１３のアノード・カソード間に、第３インダクタＬ１３と第３コンデンサＣ１３の直列回路が電気的に接続される。そして、第３コンデンサＣ１３の両端間に第３光源１Ｂが電気的に接続される。第３駆動回路２０Ｂは、第３スイッチング素子Ｑ１３のオンデューティを制御することにより、第３抵抗Ｒ１３に流れる第３駆動電流（第３光源１Ｂの駆動電流）を目標値ＩＢＴに一致させるように構成される。あるいは、第３駆動回路２０Ｂは、第３スイッチング素子Ｑ１３をスイッチングする導通期間とスイッチングしない休止期間とを交互に切り替え、かつ、導通期間と休止期間の割合を調整してもよい。
【００１９】
制御部３は、ＣＰＵ（中央演算処理装置）やメモリなどを有するマイクロコントローラで構成されることが好ましい。制御部３は、メモリに格納されているプログラムがＣＰＵで実行されることにより、第１点灯回路２Ｒ、第２点灯回路２Ｇ、第３点灯回路２Ｂを制御して、照明光を調光するように構成される。制御部３は、例えば、調光操作卓と呼ばれるコントローラからコマンドを受信し、当該コマンドで要求される光色に照明光の光色を一致させるように動作することが好ましい。調光操作卓（コントローラ）は、フェーダと呼ばれる入力デバイスを複数備える。複数のフェーダの操作位置が、赤色光、緑色光及び青色光の各色光の光量にそれぞれ対応している。つまり、調光操作卓は、オペレータ（操作者）に操作される各フェーダの操作位置に基づき、赤色光、緑色光及び青色光の各光量の指示値を生成し、生成した指示値を含むコマンドを固体光源点灯装置Ａの制御部３に伝送するように構成される。
【００２０】
制御部３は、調光操作卓から伝送されるコマンドを受け取ると、当該コマンドに含まれる各光量の指示値に対して、後述する色補正処理を行うように構成される。さらに、制御部３は、当該色補正処理後の各光量の指示値を、第１〜第３駆動電流の目標値ＩＲＴ、ＩＧＴ、ＩＢＴにそれぞれ変換し、第１〜第３点灯回路２Ｒ、２Ｇ、２Ｂの第１〜第３駆動回路２０Ｒ、２０Ｇ、２０Ｂに目標値ＩＲＴ、ＩＧＴ、ＩＢＴを与えるように構成される。
【００２１】
そして、第１駆動回路２０Ｒは、第１光源１Ｒに供給する第１駆動電流を、制御部３から受け取る赤色光の目標値ＩＲＴに一致させるように、第１スイッチング素子Ｑ１１のオンデューティを制御する。同じく、第２駆動回路２０Ｇは、第２光源１Ｇに供給する第２駆動電流を、制御部３から受け取る緑色光の目標値ＩＧＴに一致させるように、第２スイッチング素子Ｑ１２のオンデューティを制御する。同様に、第３駆動回路２０Ｂは、第３光源１Ｂに供給する第３駆動電流を、制御部３から受け取る青色光の目標値ＩＢＴに一致させるように、第３スイッチング素子Ｑ１３のオンデューティを制御する。このようにして、第１〜第３光源１Ｒ、１Ｇ、１Ｂから放射される照明光が、調光操作卓を用いてオペレータに指示される光色に調色される。
【００２２】
次に、図２〜図７を参照して、本実施形態に係る照明器具７を説明する。本実施形態に係る照明器具７は、テレビ局のスタジオや舞台などの背景壁面（ホリゾント）を照明する用途に用いられる、いわゆる、ホリゾントライトである。ただし、本発明の技術思想が適用可能な照明器具は、ホリゾントライトに限定されない。
【００２３】
本実施形態に係る照明器具７は、図２〜図６に示すように、光源ユニット５と、電源ユニット６とを備える。なお、以下の説明では、図２において、前後、左右、上下の各方向を規定する。つまり、図２の紙面の左を前、右を後とし、図２の紙面の上を左、下を右とする。
【００２４】
光源ユニット５は、４つのＬＥＤモジュール５０（図５参照）、第１筐体５１、反射板ブロック５２、放熱板ブロック５３などを有する。ＬＥＤモジュール５０は、図３に示すように、長方形状の基板５００の表面に、第１固体発光素子１０Ｒ、第２固体発光素子１０Ｇ、第３固体発光素子１０Ｂがそれぞれ複数個ずつ実装されて構成される。ただし、本実施形態に係る照明器具７は、第１固体発光素子１０Ｒ、第２固体発光素子１０Ｇ、第３固体発光素子１０Ｂに加えて、白色光を放射する複数個（図３においては９個）の第４固体発光素子１０Ｗを基板５００の表面に実装して構成されることが好ましい。これら複数個の第４固体発光素子１０Ｗからなる第４光源は、第４点灯回路から供給される駆動電流（第４駆動電流）で発光（点灯）する。なお、第４点灯回路は、第１点灯回路２Ｒ、第２点灯回路２Ｇ並びに第３点灯回路２Ｂと共通の回路構成を有することが好ましい。
【００２５】
また、基板５００の表面における長手方向の両端には、それぞれレセプタクルコネクタ５０１、５０２が実装されることが好ましい。これらのレセプタクルコネクタ５０１、５０２が有する複数の端子５０３は、基板５００の表面又は裏面に形成される導電体（銅箔）を介して、各固体発光素子１０Ｒ、１０Ｇ、１０Ｂ、１０Ｗと電気的に接続される。また、各レセプタクルコネクタ５０１、５０２は、第１点灯回路２Ｒ、第２点灯回路２Ｇ、第３点灯回路２Ｂ並びに第４点灯回路の出力端と、それぞれ電源ケーブルを介して電気的に接続される。
【００２６】
第１筐体５１は、金属板によって直方体状に形成される。第１筐体５１は、前面に矩形の窓孔５１０が開口する。第１筐体５１の内部には、表面を窓孔５１０に対向させるようにして、４つのＬＥＤモジュール５０が縦横２列に並べて収容される（図５参照）。
【００２７】
反射板ブロック５２は、複数の反射板５２０や遮光板５２１などを備えることが好ましい（図２、図４及び図５参照）。これら複数の反射板５２０及び遮光板５２１は、第１筐体５１内において、窓孔５１０と各ＬＥＤモジュール５０の表面との間に配置されて、各ＬＥＤモジュール５０から放射される光の配光を制御するように構成される。
【００２８】
放熱板ブロック５３は、多数の放熱板５３０を有し、各放熱板５３０を互いに板厚方向に沿って等間隔に並べて構成されることが好ましい（図２参照）。放熱板ブロック５３は、第１筐体５１の後面に設けられる。なお、放熱板ブロック５３は、第１筐体５１内において、４つのＬＥＤモジュール５０（の基板５００）とそれぞれ熱的に結合されることが好ましい。
【００２９】
電源ユニット６は、第１点灯回路２Ｒ、第２点灯回路２Ｇ、第３点灯回路２Ｂ、第４点灯回路、制御部３並びに電源部４を含む回路ブロック（固体光源点灯装置Ａ）と、回路ブロックを収容する第２筐体６０と、一対のアーム６１とを有する。
【００３０】
回路ブロックは、複数枚のプリント配線板に、第１点灯回路２Ｒ、第２点灯回路２Ｇ、第３点灯回路２Ｂ、第４点灯回路、制御部３並びに電源部４を構成する回路部品が実装されて構成される。
【００３１】
第２筐体６０は、金属板によって扁平な直方体状に形成され、回路ブロックを内部に収容するように構成される（図２参照）。一対のアーム６１は、第２筐体６０の左右両端から上向きに立ち上がるように設けられる（図２、図４、図５参照）。一対のアーム６１は、図６に示すように、先端（上端）に向かって、前後方向の幅寸法を徐々に狭くするように形成される。各アーム６１の先端部分には、いわゆるノブボルト６２のボルトが挿通される挿通孔がそれぞれ設けられる。すなわち、一対のアーム６１は、先端部分の挿通孔に挿通されるボルトを、第１筐体５１の左右両側面に設けられる雌ねじにねじ込むことにより、光源ユニット５を回転可能に支持するように構成される。
【００３２】
本実施形態に係る照明器具７の使用状態を図７に示す。本実施形態に係る照明器具７は、例えば、光源ユニット５の窓孔５１０を背景壁面９０に向け、かつ、背景壁面９０から離れた床９１に設置される。図７においては、本実施形態に係る照明器具７の配光特性を実線αで示している。図７の実線αに示すように、本実施形態に係る照明器具７は、背景壁面９０の床９１に近い下部から上部にかけてほぼ均一に照明光を照射することができる。
【００３３】
しかしながら、ホリゾントライトのような照明器具は、１台のみが単独で使用されるとは限らない。つまり、複数台の照明器具７が並べて床９１に設置され、１つの背景壁面９０を同時に照明する場合がある。そして、複数台の照明器具７で１つの背景壁面９０を同時に照明する場合、個々の照明器具７の照明光の色度が大きくばらつくと、観客や視聴者が違和感を覚える可能性がある。そのために本実施形態に係る照明器具７（固体光源点灯装置Ａ）は、調光操作卓から与えられる各光色毎の指示値を補正することにより、複数台の照明器具７（固体光源点灯装置Ａ）同士の照明光の色度のばらつきを抑制するようにしている。
【００３４】
次に、本実施形態に係る固体光源点灯装置Ａの制御部３による色補正処理について、図８を参照して詳細に説明する。
【００３５】
本実施形態に係る固体光源点灯装置Ａにおいて、照明光の色度のばらつきは、第１固体発光素子１０Ｒに使用される赤色発光ダイオード、第２固体発光素子１０Ｇに使用される緑色発光ダイオード、第３固体発光素子１０Ｂに使用される青色発光ダイオードのランクに依存する。例えば、第１固体発光素子１０Ｒ、第２固体発光素子１０Ｇ並びに第３固体発光素子１０Ｂの色度ばらつきの範囲は、図８のｘｙ色度図上で、それぞれ１１Ｒ、１１Ｇ、１１Ｂの３つの四角形（平行四辺形）で表されると仮定する。つまり、第１固体発光素子１０Ｒに定格電流を流した場合、第１固体発光素子１０Ｒの発光色の色度点は、色度ばらつきの範囲１１Ｒ内にあることは保証されているが、個々の赤色発光ダイオード毎にばらつきが存在する。そして、第２固体発光素子１０Ｇ及び第３固体発光素子１０Ｂにも同様の色度ばらつきが存在する。
【００３６】
したがって、第１光源１Ｒ、第２光源１Ｇ及び第３光源１Ｂの各電流の指示値が同じであったとしても、色補正処理が行われなければ、各固体発光素子１０Ｒ、１０Ｇ、１０Ｂの色度ばらつきが影響して、照明光の色度にもばらつきが発生してしまう。
【００３７】
そこで、赤色光、緑色光及び青色光のそれぞれの色度ばらつきの範囲１１Ｒ、１１Ｇ、１１Ｂが既知である場合、それらの色度ばらつきの範囲１１Ｒ、１１Ｇ、１１Ｂから、赤色光、緑色光及び青色光の色度点を補正する。そして、赤色光の補正後の色度点（第１色度点）、緑色光の補正後の色度点（第２色度点）、青色光の補正後の色度点（第３色度点）のそれぞれの補正に用いた補正係数で各電流の指示値が決定される。
【００３８】
例えば、ｘｙ色度図上の赤色光の色度ばらつきの範囲１１Ｒを示す平行四辺形の４つの頂点を１１０Ｒ、１１１Ｒ、１１２Ｒ、１１３Ｒとする。また、ｘｙ色度図上の緑色光の色度ばらつきの範囲１１Ｇを示す平行四辺形の４つの頂点を１１０Ｇ、１１１Ｇ、１１２Ｇ、１１３Ｇとする。さらに、ｘｙ色度図上の青色光の色度ばらつきの範囲１１Ｂを示す平行四辺形の４つの頂点を１１０Ｂ、１１１Ｂ、１１２Ｂ、１１３Ｂとする（図８参照）。そして、赤色光の色度ばらつきの範囲１１Ｒと緑色光の色度ばらつきの範囲１１Ｇの接線、すなわち、範囲１１Ｒの第２頂点１１１Ｒと範囲１１Ｇの第２頂点１１１Ｇとを通る直線１２ＲＧを求める。また、緑色光の色度ばらつきの範囲１１Ｇと青色光の色度ばらつきの範囲１１Ｂの接線、すなわち、範囲１１Ｇの第１頂点１１０Ｇと範囲１１Ｂの第１頂点１１０Ｂとを通る直線１２ＧＢを求める。さらに、青色光の色度ばらつきの範囲１１Ｂと赤色光の色度ばらつきの範囲１１Ｒの接線、すなわち、範囲１１Ｂの第２頂点１１１Ｂと範囲１１Ｒの第１頂点１１０Ｒを通る直線１２ＢＲを求める。ただし、それぞれの色光の色度ばらつきの範囲１１Ｒ、１１Ｇ、１１Ｂは、必ずしも厳密な境界を表すわけでなく、概ね境界とみなすことのできる範囲（略境界）を表しているに過ぎない。
【００３９】
そして、２本の接線１２ＲＧ、１２ＢＲの交点を第１色度点Ｒｅｓとし、２本の接線１２ＲＧ、１２ＧＢの交点を第２色度点Ｇｅｓとし、２本の接線１２ＧＢ、１２ＢＲの交点を第３色度点Ｂｅｓとする。このとき、第１色度点Ｒｅｓと第２色度点Ｇｅｓを結ぶ線分１４ＲＧと、第２色度点Ｇｅｓと第３色度点Ｂｅｓとを結ぶ線分１４ＧＢと、第３色度点Ｂｅｓと第１色度点Ｒｅｓとを結ぶ線分１４ＢＲとを３辺とする三角形βが形成される。この三角形βは、本実施形態に係る固体光源点灯装置Ａが色補正処理を行った場合の調色可能範囲を示している（図８参照）。なお、図８において破線で示す三角形γは、補正前の各発光色の色度点を頂点とする三角形であり、本実施形態に係る固体光源点灯装置Ａが色補正処理を行わない場合の調色可能範囲を示している。
【００４０】
次に、第１光源１Ｒの赤色光、第２光源１Ｇの緑色光並びに第３光源１Ｂの青色光を合成し、照明光の色度点を第１色度点Ｒｅｓ、第２色度点Ｇｅｓ及び第３色度点Ｂｅｓにそれぞれ一致させるために必要な光量を測定する。例えば、照明光の色度点を第１色度点Ｒｅｓに一致させるために必要となる、第１光源１Ｒの赤色光、第２光源１Ｇの緑色光並びに第３光源１Ｂの青色光の光量（光束）をそれぞれＬ［Ｒ−Ｒｅｓ］、Ｌ［Ｇ−Ｒｅｓ］、Ｌ［Ｂ−Ｒｅｓ］とする。また、照明光の色度点を第２色度点Ｇｅｓに一致させるために必要となる、第１光源１Ｒの赤色光、第２光源１Ｇの緑色光並びに第３光源１Ｂの青色光の光量をそれぞれＬ［Ｒ−Ｇｅｓ］、Ｌ［Ｇ−Ｇｅｓ］、Ｌ［Ｂ−Ｇｅｓ］とする。さらに、照明光の色度点を第３色度点Ｂｅｓに一致させるために必要となる、第１光源１Ｒの赤色光、第２光源１Ｇの緑色光並びに第３光源１Ｂの青色光の光量をそれぞれＬ［Ｒ−Ｂｅｓ］、Ｌ［Ｇ−Ｂｅｓ］、Ｌ［Ｂ−Ｂｅｓ］とする。ただし、これらの光量は、それぞれの光源１Ｒ、１Ｇ、１Ｂに定格電流を流したときの光量を１００％としたときの比率で表されることが好ましい。
【００４１】
ここで、第１光源１Ｒの赤色光の色度座標を（Ｃｘ［Ｒ］、Ｃｙ［Ｒ］）、第２光源１Ｇの緑色光の色度座標を（Ｃｘ［Ｇ］、Ｃｙ［Ｇ］）、第３光源１Ｂの青色光の色度座標を（Ｃｘ［Ｂ］、Ｃｙ［Ｂ］）とする。また、第１光源１Ｒの光量をＬ［Ｒ］、第２光源１Ｇの光量をＬ［Ｇ］、第３光源１Ｂの光量をＬ［Ｂ］とする。そして、照明光の色度座標を（Ｃｘ、Ｃｙ）、照明光の光量をＬとすれば、加法混色の定義より、以下の式が成り立つ。
【００４２】
【数１】
0006688984.tif 000002
【００４３】
【数２】
0006688984.tif 000003
【００４４】
【数３】
0006688984.tif 000004
【００４５】
上記３つの式をＬ［Ｒ］、Ｌ［Ｇ］、Ｌ［Ｂ］について解くと、以下の式が得られる。
【００４６】
【数４】
0006688984.tif 000005
【００４７】
【数５】
0006688984.tif 000006
【００４８】
【数６】
0006688984.tif 000007
【００４９】
ゆえに、照明光の色度座標（Ｃｘ、Ｃｙ）及び光量Ｌに、第１色度点Ｒｅｓの色度座標及び光量を代入すれば、第１光源１Ｒの赤色光、第２光源１Ｇの緑色光並びに第３光源１Ｂの青色光の各光量Ｌ［Ｒ−Ｒｅｓ］、Ｌ［Ｇ−Ｒｅｓ］、Ｌ［Ｂ−Ｒｅｓ］を算出することができる。同様に、照明光の色度座標（Ｃｘ、Ｃｙ）及び光量Ｌに、第２色度点Ｇｅｓの色度座標及び光量を代入すれば、第１光源１Ｒの赤色光、第２光源１Ｇの緑色光並びに第３光源１Ｂの青色光の各光量Ｌ［Ｒ−Ｇｅｓ］、Ｌ［Ｇ−Ｇｅｓ］、Ｌ［Ｂ−Ｇｅｓ］を算出することができる。同じく、照明光の色度座標（Ｃｘ、Ｃｙ）及び光量Ｌに、第３色度点Ｂｅｓの色度座標及び光量を代入すれば、第１光源１Ｒの赤色光、第２光源１Ｇの緑色光並びに第３光源１Ｂの青色光の各光量Ｌ［Ｒ−Ｂｅｓ］、Ｌ［Ｇ−Ｂｅｓ］、Ｌ［Ｂ−Ｂｅｓ］を算出することができる。
【００５０】
本実施形態に係る照明器具７（固体光源点灯装置Ａ）は、製造段階において、第１光源１Ｒ、第２光源１Ｇ及び第３光源１Ｂの定格の光量及び色度座標が測定され、それらの測定値と式４〜式６から、各色度点Ｒｅｓ、Ｇｅｓ、Ｂｅｓに対応した各光源１Ｒ、１Ｇ、１Ｂの光量が算出される。ただし、算出される光量は、それぞれの光源１Ｒ、１Ｇ、１Ｂに定格電流を流したときの光量を１００％としたときの比率で表されることが好ましい。
【００５１】
このようにして算出された、各色度点Ｒｅｓ、Ｇｅｓ、Ｂｅｓに対応した各光源１Ｒ、１Ｇ、１Ｂの光量（比率）は、下記の表１に示す色補正処理のためのデータテーブルにまとめられて、制御部３のメモリ（フラッシュメモリなどの電気的に書換可能な半導体メモリ）に格納されることが好ましい。例えば、第１色度点Ｒｅｓの各光量Ｌ［Ｒ−Ｒｅｓ］、Ｌ［Ｇ−Ｒｅｓ］、Ｌ［Ｂ−Ｒｅｓ］は、表１のデータテーブルに示すように、９５．００、３．００、２．００となる。また、第２色度点Ｇｅｓの各光量Ｌ［Ｒ−Ｇｅｓ］、Ｌ［Ｇ−Ｇｅｓ］、Ｌ［Ｂ−Ｇｅｓ］は、表１のデータテーブルに示すように、５．００、９０．００、５．００となる。さらに、第３色度点Ｂｅｓの各光量Ｌ［Ｒ−Ｂｅｓ］、Ｌ［Ｇ−Ｂｅｓ］、Ｌ［Ｂ−Ｂｅｓ］は、表１のデータテーブルに示すように、０．００、７．００、９３．００となる。なお、第１色度点Ｒｅｓ、第２色度点Ｇｅｓ、第３色度点Ｂｅｓの間の光量比は、照明光の光量（調光レベル）が１００％〜１％の間で変化しても常に一定に保たれる。
【００５２】
【表１】
0006688984.tif 000008
【００５３】
既に説明したように、制御部３は、調光操作卓から伝送されるコマンドを受け取ると、当該コマンドに含まれる各光量の指示値に対して色補正処理を行う。例えば、コマンドに含まれる赤色光、緑色光及び青色光の各光量の指示値を、それぞれＬ［Ｒ−ｒｅｑ］、Ｌ［Ｇ−ｒｅｑ］、Ｌ［Ｂ−ｒｅｑ］とすると、色補正処理後の各光量の指示値Ｌ［Ｒ−ｓｕｍ］、Ｌ［Ｇ−ｓｕｍ］、Ｌ［Ｂ−ｓｕｍ］は、下記の数７に示す行列で表される。
【００５４】
【数７】
0006688984.tif 000009
【００５５】
つまり、制御部３は、調光操作卓から要求される赤色光、緑色光及び青色光の各光量の指示値Ｌ［Ｒ−ｒｅｑ］、Ｌ［Ｇ−ｒｅｑ］、Ｌ［Ｂ−ｒｅｑ］に、補正係数（数７に示す右辺の３×３行列）を掛けることで色補正処理を実行する。さらに、制御部３は、当該色補正処理後の各光量の指示値を、各光源１Ｒ、１Ｇ、１Ｂ毎の駆動電流の目標値ＩＲＴ、ＩＧＴ、ＩＢＴに変換し、それぞれの点灯回路２Ｒ、２Ｇ、２Ｂの駆動回路２０Ｒ、２０Ｇ、２０Ｂに目標値ＩＲＴ、ＩＧＴ、ＩＢＴを与える。ただし、制御部３は、調光操作卓から要求される白色光の光量（第４光源１Ｗの光量）については、色補正処理の対象としないことが好ましい。つまり、白色光については、別途、カラーミキシング等の公知技術によって色ばらつきが十分に低減されているので、照明光の色ばらつきに与える影響を考慮する必要はない。
【００５６】
例えば、赤色光、緑色光及び青色光の各光量の指示値がＬ［Ｒ−ｒｅｑ］＝１００％、Ｌ［Ｇ−ｒｅｑ］＝６１．６％、Ｌ［Ｂ−ｒｅｑ］＝９．４％であり、かつ、照明光の光量（調光レベル）が１００％であったと仮定する。制御部３は、表１に示すデータテーブルから、調光レベルが１００％のときの補正係数を読み出し、当該補正係数を掛けて色補正処理を行う（数８参照）。
【００５７】
【数８】
0006688984.tif 000010
【００５８】
さらに、制御部３は、色補正処理後の各光量の指示値Ｌ［Ｒ−ｓｕｍ］＝９７．０４％、Ｌ［Ｇ−ｓｕｍ］＝６０．９１％、Ｌ［Ｂ−ｓｕｍ］＝１３．０５％を各駆動電流の目標値ＩＲＴ、ＩＧＴ、ＩＢＴに変換する。例えば、制御部３は、各光源１Ｒ、１Ｇ、１Ｂの定格電流値にそれぞれの光量の指示値Ｌ［Ｒ−ｓｕｍ］、Ｌ［Ｇ−ｓｕｍ］、Ｌ［Ｂ−ｓｕｍ］を乗算することで各駆動電流の目標値ＩＲＴ、ＩＧＴ、ＩＢＴに変換することが好ましい。
【００５９】
一方、第１〜第３点灯回路２Ｒ、２Ｇ、２Ｂの第１〜第３駆動回路２０Ｒ、２０Ｇ、２０Ｂは、それぞれの目標値ＩＲＴ、ＩＧＴ、ＩＢＴの第１〜第３駆動電流を各光源１Ｒ、１Ｇ、１Ｂに流すように第１〜第３スイッチング素子Ｑ１１、Ｑ１２、Ｑ１３を制御する。なお、第１〜第３駆動回路２０Ｒ、２０Ｇ、２０Ｂは、第１〜第３スイッチング素子Ｑ１１、Ｑ１２、Ｑ１３のオンデューティを調整することで各光源１Ｒ、１Ｇ、１Ｂの駆動電流をそれぞれの目標値ＩＲＴ、ＩＧＴ、ＩＢＴに一致させる。あるいは、第１〜第３駆動回路２０Ｒ、２０Ｇ、２０Ｂは、第１〜第３スイッチング素子Ｑ１１、Ｑ１２、Ｑ１３の導通期間と休止期間の割合を調整することで各光源１Ｒ、１Ｇ、１Ｂの駆動電流をそれぞれの目標値ＩＲＴ、ＩＧＴ、ＩＢＴに一致させてもよい。なお、上述した赤色光、緑色光及び青色光の各光量の指示値Ｌ［Ｒ−ｒｅｑ］、Ｌ［Ｇ−ｒｅｑ］、Ｌ［Ｂ−ｒｅｑ］は一例であり、三角形βの領域内における任意の色度点に対応した値であればよい。
【００６０】
このようにして、複数の固体光源点灯装置Ａが色補正処理を行えば、調光操作卓から複数の固体光源点灯装置Ａに同一の指示値が与えられた場合、それぞれの照明光同士の色度ばらつきの抑制を図ることができる。つまり、色補正処理を行う複数の固体光源点灯装置Ａでは、照明光に含まれる、赤色光の第１色度点Ｒｅｓ、緑色光の第２色度点Ｇｅｓ及び青色光の第３色度点Ｂｅｓが一致している。その結果、第１色度点Ｒｅｓの赤色光と、第２色度点Ｇｅｓの緑色光と、第３色度点Ｂｅｓの青色光とが、調光操作卓の指示値で指示される各色の光量に調整されるため、複数の固体光源点灯装置Ａ（照明器具７）の照明光の色のばらつきを抑えることができる。
【００６１】
本実施形態に係る照明システムは、図９に示すように、コントローラとしての調光操作卓８と、複数台の照明器具７とを有する。複数台の照明器具７は、通信ケーブル８０を介して調光操作卓８に送り配線接続される。調光操作卓８は、ＤＭＸ５１２などの規格化された通信プロトコルの制御信号を、通信ケーブル８０を介して複数台の照明器具７に伝送する。複数台の照明器具７は、調光操作卓８から伝送される制御信号を制御部３で受け取り、制御部３によって第１〜第４点灯回路２Ｒ、２Ｇ、２Ｂが制御される。
【００６２】
ところで、制御部３が常に色補正処理を行うように構成されている場合、色補正処理有りのときの調色可能範囲β外であり、かつ、色補正処理無しのときの調色可能範囲γ内の色度点に調色することができない。一方、演出照明においては、調色可能範囲は可能な限り広い方が望ましい。
【００６３】
そこで、本実施形態に係る固体光源点灯装置Ａの制御部３は、通常モードと補正モードの２つの制御モードを択一的に切り替えて、第１〜第３点灯回路２Ｒ、２Ｇ、２Ｂを制御するように構成される。通常モードにおける制御部３は、第１〜第３駆動電流を調光操作卓８から指示される値に一致させるように第１〜第３点灯回路２Ｒ、２Ｇ、２Ｂを制御する。つまり、通常モードとは、色補正処理を行わない制御モードである。一方、補正モードにおける制御部３は、調光操作卓８から指示される値を補正（色補正）し、補正後の値に駆動電流を一致させるように第１〜第３点灯回路２Ｒ、２Ｇ、２Ｂを制御する。つまり、補正モードとは、色補正処理を行う制御モードである。
【００６４】
制御部３は、調光操作卓８から伝送される制御信号により、通常モードと補正モードを択一的に切り替えることが好ましい。例えば、オペレータが調光操作卓８を操作して色補正の有無を選択し、色補正の有無を指示するコマンドを含む制御信号が調光操作卓８から複数台の照明器具７の制御部３に伝送されればよい。あるいは、調光操作卓８は、オペレータがフェーダを使って指定する色度が色補正有りの範囲β外であり、かつ、色補正無しの範囲γ内であるときに通常モードに切り替えることが好ましい。このように制御部３が通常モードと補正モードを択一的に切り替えて第１〜第３点灯回路２Ｒ、２Ｇ、２Ｂを制御すれば、発光色のばらつきの抑制を図りつつ調色可能な範囲が狭くなることを抑えることができる。
【００６５】
上述のように本実施形態に係る固体光源点灯装置Ａは、複数の点灯回路（第１〜第３点灯回路２Ｒ、２Ｇ、２Ｂ）と、第１〜第３点灯回路２Ｒ、２Ｇ、２Ｂを制御する制御部３とを備える。第１〜第３点灯回路２Ｒ、２Ｇ、２Ｂは、発光色の異なる複数の固体光源（第１光源１Ｒ、第２光源１Ｇ、第３光源１Ｂ）にそれぞれ駆動電流（第１〜第３駆動電流）を供給して点灯するように構成される。制御部３は、第１〜第３点灯回路２Ｒ、２Ｇ、２Ｂが第１〜第３光源１Ｒ、１Ｇ、１Ｂに供給する駆動電流をそれぞれ増減させることで第１〜第３光源１Ｒ、１Ｇ、１Ｂの光量を調整するように構成される。さらに、制御部３は、通常モードと補正モードの２つの制御モードを択一的に切り替えて第１〜第３の点灯回路２Ｒ、２Ｇ、２Ｂを制御するように構成される。通常モードにおける制御部３は、駆第１〜第３動電流を外部（調光操作卓８）から指示される値に一致させるように第１〜第３点灯回路２Ｒ、２Ｇ、２Ｂを制御する。補正モードにおける制御部３は、調光操作卓８から指示される値を補正し、補正後の値に第１〜第３駆動電流を一致させるように第１〜第３点灯回路２Ｒ、２Ｇ、２Ｂを制御する。
【００６６】
本実施形態に係る固体光源点灯装置Ａは上述のように構成されるので、制御部３が色補正処理を行うことで発光色のばらつきの抑制を図ることができ、色補正を行わないことで調色可能な範囲が狭くなることを抑えることができる。
【００６７】
本実施形態に係る固体光源点灯装置Ａにおいて、制御部３は、第１〜第３点灯回路２Ｒ、２Ｇ、２Ｂを一括して、通常モードと補正モードの２つの制御モードに切り替えて制御するように構成されることが好ましい。
【００６８】
本実施形態に係る固体光源点灯装置Ａが上述のように構成されれば、通常モードと補正モードを容易に切り替えることができる。
【００６９】
本実施形態に係る固体光源点灯装置Ａにおいて、制御部３は、第１〜第３点灯回路２Ｒ、２Ｇ、２Ｂ毎に、通常モードと補正モードの２つの制御モードを各別に切り替えて制御するように構成されることが好ましい。
【００７０】
例えば、制御部３は、第１光源１Ｒの色度点を補正せず、第２光源１Ｇ及び第３光源１Ｂの色度点のみを補正してもよい。あるい、制御部３は、第１光源１Ｒの色度点を補正し、第２光源１Ｇ及び第３光源１Ｂの色度点を補正しなくてもよい。このように制御部３が色補正する対象の色数を減らすことにより、色補正処理に要する処理時間の短縮化を図ることができる。
【００７１】
本実施形態に係る固体光源点灯装置Ａにおいて、補正モードにおける制御部３は、第１〜第３駆動電流の定格値と補正係数との積を演算し、第１〜第３駆動電流を積に一致させるように第１〜第３点灯回路２Ｒ、２Ｇ、２Ｂを制御することが好ましい。
【００７２】
本実施形態に係る固体光源点灯装置Ａが上述のように構成されれば、制御部３が行う色補正処理の簡素化を図ることができる。
【００７３】
本実施形態に係る照明器具７は、固体光源点灯装置Ａと、発光色の異なる複数の固体光源（第１〜第３光源１Ｒ、１Ｇ、１Ｂ）と、固体光源点灯装置Ａ及び第１〜第３光源１Ｒ、１Ｇ、１Ｂを支持する筐体（第１筐体５１及び第２筐体６０）とを有する。
【００７４】
また、本実施形態に係る照明システムは、照明器具７と、１又は複数の照明器具７に対して、第１〜第３駆動電流の値を指示するコントローラ（調光操作卓８）とを有する。
【００７５】
本実施形態に係る照明器具７及び照明システムは上述のように構成されるので、発光色のばらつきの抑制を図りつつ調色可能な範囲が狭くなることを抑えることができる。
【００７６】
なお、本実施形態に係る固体光源点灯装置Ａにおいて、第１点灯回路２Ｒ、第２点灯回路２Ｇ、第３点灯回路２Ｂのそれぞれに独立して直流電力を供給する３つの電源部４を備えてもよい。このようにそれぞれの点灯回路２Ｒ、２Ｇ、２Ｂ毎に別の電源部４から直流電力が供給されれば、第１光源１Ｒ、第２光源１Ｇ、第３光源１Ｂの消費電力の増大に対応することができる。
【符号の説明】
【００７７】
Ａ  固体光源点灯装置
１Ｒ  第１光源（固体光源）
１Ｇ  第２光源（固体光源）
１Ｂ  第３光源（固体光源）
２Ｒ  第１点灯回路
２Ｇ  第２点灯回路
２Ｂ  第３点灯回路
３  制御部
７  照明器具
８  調光操作卓（コントローラ）
５１  第１筐体（筐体）
６０  第２筐体（筐体）
【図１】
0006688984.tif 000011
【図２】
0006688984.tif 000012
【図３】
0006688984.tif 000013
【図４】
0006688984.tif 000014
【図５】
0006688984.tif 000015
【図６】
0006688984.tif 000016
【図７】
0006688984.tif 000017
【図８】
0006688984.tif 000018
【図９】
0006688984.tif 000019